(57)【要約】  画像を表示する表示装置は、光を出射する光源と、光源から出射される光を透過又は反射することにより画像を生成する表示素子と、表示装置の異常状態を検知する検知手段と、光源及び表示素子を制御する制御手段と、を備える。表示素子は、画像のメモリー性を有し、制御手段は、表示装置の表示を終了させる際に、所定画像を表示させる状態に表示素子を制御してから表示素子への通電を止めると共に、表示装置の表示を開始させる際に、検知手段が異常状態を検知した場合は、表示素子に通電せずに、光源から光を出射させる。
2014118883.tif 000002
【特許請求の範囲】
【請求項１】
画像を表示する表示装置であって、
光を出射する光源と、
前記光源から出射される光を透過又は反射することにより画像を生成する表示素子と、
前記表示装置の異常状態を検知する検知手段と、
前記光源及び前記表示素子を制御する制御手段と、
を備え、
前記表示素子は、前記画像のメモリー性を有し、
前記制御手段は、前記表示装置の表示を終了させる際に、所定画像を表示させる状態に前記表示素子を制御してから前記表示素子への通電を止めると共に、前記表示装置の表示を開始させる際に、前記検知手段が前記異常状態を検知した場合は、前記表示素子に通電せずに、前記光源から光を出射させることを特徴とする表示装置。
【請求項２】
前記制御手段は、前記表示装置の表示を終了させる際に、前記光源からの光の出射を停止した後に、前記所定画像を表示させる状態に前記表示素子を制御してから前記表示素子への通電を止めることを特徴とする請求項１に記載の表示装置。
【請求項３】
前記制御手段は、前記表示装置の表示を開始させる際に、前記検知手段が前記異常状態を検知しなかった場合には、前記表示素子に通電してから前記所定画像を表示させる状態をクリアする制御を行った後に、前記光源から光を出射させることを特徴とする請求項１又は２に記載の表示装置。
【請求項４】
前記検知手段は、前記表示装置の内部又は周囲の温度が所定温度範囲内にない場合に、前記表示装置が前記異常状態であると検知することを特徴とする請求項１乃至３のいずれか一項に記載の表示装置。
【請求項５】
前記検知手段は、前記表示装置を駆動する電池の残量が所定値以下である場合に、前記表示装置が前記異常状態であると検知することを特徴とする請求項１乃至３のいずれか一項に記載の表示装置。
【請求項６】
前記表示素子とは別に、前記表示装置が前記異常状態でない場合に表示するための画像を生成する主表示素子を更に備えることを特徴とする請求項１乃至５のいずれか一項に記載の表示装置。
【請求項７】
光を出射する光源と、前記光源から出射される光を透過又は反射することにより画像を生成すると共に、前記画像のメモリー性を有する表示素子と、を備える表示装置によって実行される表示方法であって、
前記表示装置の異常状態を検知する検知工程と、
前記光源及び前記表示素子を制御する制御工程と、
を備え、
前記制御工程は、前記表示装置の表示を終了させる際に、所定画像を表示させる状態に前記表示素子を制御してから前記表示素子への通電を止めると共に、前記表示装置の表示を開始させる際に、前記検知工程が前記異常状態を検知した場合には、前記表示素子に通電せずに、前記光源から光を出射させることを特徴とする表示方法。
【請求項８】
光を出射する光源と、前記光源から出射される光を透過又は反射することにより画像を生成すると共に、前記画像のメモリー性を有する表示素子と、コンピュータと、を備える表示装置によって実行されるプログラムであって、
前記表示装置の異常状態を検知する検知手段、
前記光源及び前記表示素子を制御する制御手段、
として前記コンピュータを機能させ、
前記制御手段は、前記表示装置の表示を終了させる際に、所定画像を表示させる状態に前記表示素子を制御してから前記表示素子への通電を止めると共に、前記表示装置の表示を開始させる際に、前記検知手段が前記異常状態を検知した場合には、前記表示素子に通電せずに、前記光源から光を出射させることを特徴とするプログラム。
【請求項９】
請求項８に記載のプログラムを記録したことを特徴とする記録媒体。
【発明の詳細な説明】
【技術分野】
【０００１】
本発明は、表示装置の異常を表示する技術分野に関する。
【背景技術】
【０００２】
この種の技術が、例えば特許文献１に提案されている。特許文献１には、表示装置の制御部に異常を検知した場合に、表示部の主表示画面に異常内容に対応したメッセージ画面を表示する技術が提案されている。
【先行技術文献】
【特許文献】
【０００３】
【特許文献１】特開２００２−６８２４号公報
【発明の概要】
【発明が解決しようとする課題】
【０００４】
しかしながら、特許文献１に記載された技術では、表示部自体が通常通りに使用できないような異常状態になっている場合（例えば表示デバイスへの通電が許されない状態になっている場合）には、上記のメッセージ画面を表示することができなかった。【０００５】
ところで、一般的に、表示デバイスは、他の電気部品に比べて、動作保証温度範囲が狭い傾向にある。したがって、表示デバイスにおける温度が動作保証温度範囲外である場合には、他の電気部品は動作可能であっても、表示を停止せざるを得なかった。その場合、表示装置の表示がなされないので、例えば表示装置が故障しているといった誤解をユーザに与えてしまう可能性があった。【０００６】
本発明が解決しようとする課題は上記のようなものが例として挙げられる。本発明は、自装置の異常状態時において、異常状態であることを適切に表示することが可能な表示装置などを提供することを課題とする。
【課題を解決するための手段】
【０００７】
請求項に記載の発明では、画像を表示する表示装置は、光を出射する光源と、前記光源から出射される光を透過又は反射することにより画像を生成する表示素子と、前記表示装置の異常状態を検知する検知手段と、前記光源及び前記表示素子を制御する制御手段と、を備え、前記表示素子は、前記画像のメモリー性を有し、前記制御手段は、前記表示装置の表示を終了させる際に、所定画像を表示させる状態に前記表示素子を制御してから前記表示素子への通電を止めると共に、前記表示装置の表示を開始させる際に、前記検知手段が前記異常状態を検知した場合は、前記表示素子に通電せずに、前記光源から光を出射させることを特徴とする。【０００８】
また、請求項に記載の発明では、光を出射する光源と、前記光源から出射される光を透過又は反射することにより画像を生成すると共に、前記画像のメモリー性を有する表示素子と、を備える表示装置によって実行される表示方法は、前記表示装置の異常状態を検知する検知工程と、前記光源及び前記表示素子を制御する制御工程と、を備え、前記制御工程は、前記表示装置の表示を終了させる際に、所定画像を表示させる状態に前記表示素子を制御してから前記表示素子への通電を止めると共に、前記表示装置の表示を開始させる際に、前記検知工程が前記異常状態を検知した場合には、前記表示素子に通電せずに、前記光源から光を出射させることを特徴とする。【０００９】
また、請求項に記載の発明では、光を出射する光源と、前記光源から出射される光を透過又は反射することにより画像を生成すると共に、前記画像のメモリー性を有する表示素子と、コンピュータと、を備える表示装置によって実行されるプログラムは、前記表示装置の異常状態を検知する検知手段、前記光源及び前記表示素子を制御する制御手段、として前記コンピュータを機能させ、前記制御手段は、前記表示装置の表示を終了させる際に、所定画像を表示させる状態に前記表示素子を制御してから前記表示素子への通電を止めると共に、前記表示装置の表示を開始させる際に、前記検知手段が前記異常状態を検知した場合には、前記表示素子に通電せずに、前記光源から光を出射させることを特徴とする。【００１０】
また、請求項に記載の発明では、記録媒体は、上記プログラムを記録したことを特徴とする。
【図面の簡単な説明】
【００１１】
【図１】第１実施例に係る表示装置の概略構成を示すブロック図である。
【図２】第１実施例に係る異常時画面の一例を示す図である。
【図３】第１実施例に係る表示装置終了処理を示すフローチャートである。
【図４】第１実施例に係る表示装置起動処理を示すフローチャートである。
【図５】第２実施例に係る表示装置の概略構成を示すブロック図である。
【図６】第２実施例に係る表示装置終了処理を示すフローチャートである。
【図７】第２実施例に係る表示装置起動処理を示すフローチャートである。
【図８】第３実施例に係る表示装置の概略構成を示すブロック図である。
【図９】第３実施例に係る異常時画面の一例を示す図である。
【発明を実施するための形態】
【００１２】
本発明の１つの観点では、画像を表示する表示装置は、光を出射する光源と、前記光源から出射される光を透過又は反射することにより画像を生成する表示素子と、前記表示装置の異常状態を検知する検知手段と、前記光源及び前記表示素子を制御する制御手段と、を備え、前記表示素子は、前記画像のメモリー性を有し、前記制御手段は、前記表示装置の表示を終了させる際に、所定画像を表示させる状態に前記表示素子を制御してから前記表示素子への通電を止めると共に、前記表示装置の表示を開始させる際に、前記検知手段が前記異常状態を検知した場合は、前記表示素子に通電せずに、前記光源から光を出射させる。
【００１３】
上記の表示装置では、表示素子は、画像のメモリー性を有する。ここで、「画像のメモリー性」とは、通電されなくても、通電状態において最後の画像を表示した状態を保持するような表示素子の性質である。言い換えると、通電状態から非通電状態となる直前の画像を表示した状態を、非通電状態において保持するような性質である。制御手段は、表示装置の表示を終了させる際に、所定画像（表示装置が異常状態であることを示すような画像）を表示させる状態に表示素子を制御してから、表示素子への通電を止める。この場合、表示素子は画像のメモリー性を有するため、表示素子は所定画像を表示した状態を保持することとなる。そして、制御手段は、表示装置の表示を開始させる際に、検知手段が異常状態を検知した場合は、表示素子に通電せずに、光源から光を出射させる。これにより、表示装置が異常状態である場合に、上記のように表示装置の表示の終了時に行った制御により表示素子に保持された所定画像が表示されることとなる。
【００１４】
以上の表示装置によれば、表示装置の異常状態時において、異常状態であることを適切に表示することができる。具体的には、表示素子への通電が許されないような状況でも、異常であることを適切に表示することができる。つまり、表示装置が本来の動作を行えないような状況でも、例えば表示装置が故障でないことを適切に表示することができる。
【００１５】
上記の表示装置の一態様では、前記制御手段は、前記表示装置の表示を終了させる際に、前記光源からの光の出射を停止した後に、前記所定画像を表示させる状態に前記表示素子を制御してから前記表示素子への通電を止める。これにより、所定画像がユーザに視認されることはない。
【００１６】
上記の表示装置の他の一態様では、前記制御手段は、前記表示装置の表示を開始させる際に、前記検知手段が前記異常状態を検知しなかった場合には、前記表示素子に通電してから前記所定画像を表示させる状態をクリアする制御を行った後に、前記光源から光を出射させる。これにより、表示装置が異常状態でない場合に、所定画像がユーザに視認されることはない。
【００１７】
好適な例では、前記検知手段は、前記表示装置の内部又は周囲の温度が所定温度範囲内にない場合に、前記表示装置が前記異常状態であると検知することができる。
【００１８】
他の好適な例では、前記検知手段は、前記表示装置を駆動する電池の残量が所定値以下である場合に、前記表示装置が前記異常状態であると検知することができる。
【００１９】
また、上記の表示装置は、前記表示素子とは別に、前記表示装置が前記異常状態でない場合に表示するための画像を生成する主表示素子を更に備えていても良い。
【００２０】
本発明の他の観点では、光を出射する光源と、前記光源から出射される光を透過又は反射することにより画像を生成すると共に、前記画像のメモリー性を有する表示素子と、を備える表示装置によって実行される表示方法は、前記表示装置の異常状態を検知する検知工程と、前記光源及び前記表示素子を制御する制御工程と、を備え、前記制御工程は、前記表示装置の表示を終了させる際に、所定画像を表示させる状態に前記表示素子を制御してから前記表示素子への通電を止めると共に、前記表示装置の表示を開始させる際に、前記検知工程が前記異常状態を検知した場合には、前記表示素子に通電せずに、前記光源から光を出射させる。
【００２１】
また、本発明の他の観点では、光を出射する光源と、前記光源から出射される光を透過又は反射することにより画像を生成すると共に、前記画像のメモリー性を有する表示素子と、を備える表示装置によって実行される表示方法は、前記表示装置の異常状態を検知する検知工程と、前記光源及び前記表示素子を制御する制御工程と、を備え、前記制御工程は、前記表示装置の表示を終了させる際に、所定画像を表示させる状態に前記表示素子を制御してから前記表示素子への通電を止めると共に、前記表示装置の表示を開始させる際に、前記検知工程が前記異常状態を検知した場合には、前記表示素子に通電せずに、前記光源から光を出射させる。
【００２２】
上記のプログラムは、記録媒体に記録した状態で好適に取り扱うことができる。
【実施例】
【００２３】
以下、図面を参照して本発明の好適な実施例について説明する。【００２４】
［第１実施例］
まず、図１乃至図４を参照して、第１実施例について説明する。【００２５】
図１は、第１実施例に係る表示装置１０の概略構成を示すブロック図である。図１に示すように、表示装置１０は、主に、光源１と、表示素子２と、サーミスタ３と、制御部４と、を有する。【００２６】
光源１は、表示素子２に入光させるための光を出射する。１つの例では、光源１として、バックライトなどが適用される。【００２７】
表示素子２は、光源１から出射される光を透過又は反射することにより画像を生成する。また、表示素子２は、画像のメモリー性を有する。具体的には、表示素子２は、通電状態から非通電状態となる直前の画像を表示した状態を、非通電状態において保持するように構成されている。言い換えると、表示素子２は、通電されなくても、通電状態において最後の画像を表示した状態を保持するように構成されている。例えば、表示素子２として、強誘電性液晶ディスプレイや、ＤＭＤ（Digital Mirror Device）などが適用される。【００２８】
サーミスタ３は、表示装置１０の内部又は周囲の温度を検出する温度センサである。サーミスタ３は、検出した温度を制御部４に供給する。【００２９】
制御部４は、上記した光源１及び表示素子２に対する制御を行う。また、制御部４は、サーミスタ３から供給された温度に基づいて、表示装置１０の異常状態を検知する。例えば、制御部４は、光源１を制御するための回路と、表示素子２を制御するための回路と、表示装置１０の異常状態を検知するための回路と、から成る。なお、制御部４は、本発明における「検知手段」及び「制御手段」の一例に相当する。【００３０】
ここで、第１実施例において制御部４が行う制御方法の概要について説明する。第１実施例では、制御部４は、表示装置１０の表示を終了させる際に、まず、光源１からの光の出射を停止した後に、予め用意された、表示装置１０が異常状態であることを提示するための画面（本発明における「所定画像」に相当する画面であり、以下では「異常時画面」と呼ぶ。）を表示させる状態に表示素子２を制御する。この場合、光源１からの光の出射を停止しているため、異常時画面がユーザに視認されることはない。この後、制御部４は、表示素子２への通電を止め（つまり表示素子２を非通電状態にする）、表示装置１０をオフにする。この場合、上述したように表示素子２は画像のメモリー性を有するように構成されているため、表示素子２は異常時画面を表示した状態を保持することとなる。【００３１】
次に、制御部４は、表示装置１０の表示を開始させる際に、まず、サーミスタ３によって検出された温度（つまり表示装置１０の内部又は周囲の温度）に基づいて、表示装置１０の異常状態を検知する。具体的には、制御部４は、当該温度が所定温度範囲内にない場合に、表示装置１０が異常状態であると検知する。この場合、制御部４は、光源１は通電可能な状態にあるが、表示素子２は通電すべきでない状態にあると判断する（つまり、表示素子２への通電が許されないような状況であると判断する）。そして、制御部４は、このようにして表示装置１０の表示の開始時に異常状態を検知した場合、表示素子２に通電せずに、光源１から光を出射させる。これにより、表示装置１０が異常状態である場合に、上記のように表示装置１０の表示の終了時に行った制御により表示素子２に保持された異常時画面が表示されることとなる。【００３２】
図２に、以上のような制御により表示装置１０によって表示された異常時画面の一例を示す。この例では、「温度プロテクトが働いています。周囲温度が安定するまでしばらくお待ちください。」といった異常を示すメッセージが表示される。【００３３】
他方で、制御部４は、表示装置１０の表示の開始時に表示装置１０の異常状態を検知しなかった場合、表示素子２に通電してから異常時画面をクリアする制御を行った後に、光源１から光を出射させる。具体的には、制御部４は、光源１から光を出射させる前に、異常時画面から、表示装置１０の通常動作時に表示させる画面（つまり表示装置１０が異常状態でない場合に表示される通常の画面であり、以下では「通常画面」と呼ぶ。）へ切り替えるための制御を表示素子２に対して行う。これにより、表示装置１０が異常状態でない場合に、異常時画面がユーザに視認されることはない。【００３４】
次に、図３及び図４を参照して、第１実施例に係る処理フローについて説明する。【００３５】
図３は、第１実施例において、表示装置１０の表示を終了させる際に行われる処理（表示装置終了処理）を示すフローチャートである。なお、この表示装置終了処理は、制御部４によって実行される。【００３６】
まず、ステップＳ１１では、制御部４は、光源１をオフにする。つまり、制御部４は、光源１への通電を止めて、光源１からの光の出射を停止する。そして、処理はステップＳ１２に進む。このように表示装置１０の表示を終了させる際に最初に光源１をオフにしているのは、後の処理において表示素子２にて表示される異常時画面をユーザに視認させないようにするためである。【００３７】
ステップＳ１２では、制御部４は、表示素子２の画面を異常時画面に切り替える。つまり、制御部４は、異常時画面を表示させる状態に表示素子２を制御する。先のステップＳ１１で光源１をオフにしているため、このような異常時画面がユーザに視認されることはない。そして、処理はステップＳ１３に進む。【００３８】
ステップＳ１３では、制御部４は、表示素子２をオフにする、つまり表示素子２への通電を止める。この場合、表示素子２が有する画像のメモリー性により、非通電状態において表示素子２は異常時画面を表示した状態を保持することとなる。この後、制御部４は表示装置１０をオフにし（ステップＳ１４）、処理は終了する。【００３９】
図４は、第１実施例において、表示装置１０の表示を開始させる際に行われる処理（表示装置起動処理）を示すフローチャートである。なお、この表示装置起動処理は、制御部４によって実行される。【００４０】
まず、ステップＳ２１では、制御部４は、サーミスタ３によって検出された、表示装置１０の内部又は周囲の温度を取得する。そして、処理はステップＳ２２に進む。【００４１】
ステップＳ２２では、制御部４は、ステップＳ２１で取得した温度に基づいて、表示素子２の動作条件を満たすか否かを判定する（言い換えると、表示素子２への通電が許されないような状況でないか否かを判定する）。ここでは、制御部４は、当該温度が所定温度範囲内にあるか否かに応じて、表示素子２の動作条件を満たすか否かを判定する。例えば、所定温度範囲としては、表示素子２の動作保証温度範囲に応じた温度範囲が用いられる。【００４２】
ステップＳ２１で取得した温度が所定温度範囲内にない場合、制御部４は、表示素子２の動作条件を満たさないと判定する（ステップＳ２２：Ｎｏ）。この場合、処理はステップＳ２３に進む。ステップＳ２３では、制御部４は、光源１をオンにする。つまり、制御部４は、光源１への通電を開始し、光源１から光を出射させる。他方で、制御部４は、表示素子２には通電しない。これは、表示素子２への通電が許されないような状況であるからである。このように表示素子２に通電せずに光源１から光を出射させると、上記の表示装置終了処理によって表示素子２に保持された異常時画面が表示されることとなる（例えば図２参照）。以上のステップＳ２３の後、処理は終了する。【００４３】
これに対して、ステップＳ２１で取得した温度が所定温度範囲内にある場合、制御部４は、表示素子２の動作条件を満たすと判定する（ステップＳ２２：Ｙｅｓ）。この場合、処理はステップＳ２４に進む。ステップＳ２４では、制御部４は、表示素子２をオンにする、つまり表示素子２への通電を開始する。この場合、光源１はオフであるため、表示素子２に保持された異常時画面がユーザに視認されることはない。そして、処理はステップＳ２５に進む。【００４４】
ステップＳ２５では、制御部４は、表示素子２の画面を、異常時画面から通常画面へ切り替えるための制御を行う。これにより、異常時画面がクリアされるため、光源１をオンにしても、異常時画面がユーザに視認されることはない。そして、処理はステップＳ２６に進む。ステップＳ２６では、制御部４は、光源１をオンにする、つまり光源１への通電を開始する。これにより、ステップＳ２５で切り替えられた通常画面が表示されることとなる。そして、処理は終了する。この後、表示装置１０の通常動作が開始される。【００４５】
以上説明した第１実施例によれば、表示装置１０の異常状態時において、異常状態であることを適切に表示することができる。具体的には、第１実施例によれば、表示素子２への通電が許されないような状況でも、異常を示すメッセージを適切に表示することができる。つまり、表示装置１０が本来の動作を行えないような状況でも、表示装置１０が故障でないことを適切に表示することができる。【００４６】
［第２実施例］
次に、図５乃至図７を参照して、第２実施例について説明する。【００４７】
上記した第１実施例では、１つの表示素子２によって異常時画面及び通常画面の両方を表示させていた。これに対して、第２実施例では、２つの表示素子を用い、異常時画面と通常画面とを別々の表示素子によって表示させる。つまり、第２実施例では、一方の表示素子によって異常時画面を表示させ、他方の表示素子によって通常画面を表示させる。以下では、異常時画面を表示させる表示素子を「異常表示用表示素子」と呼び、通常画面を表示させる表示素子を「主表示素子」と呼ぶ。【００４８】
なお、以下では、第１実施例と異なる構成、制御及び処理について主に説明を行い、第１実施例と同様の構成、制御及び処理については適宜説明を省略する。つまり、以下で特に説明しない構成、制御及び処理については、第１実施例と同様であるものとする。【００４９】
図５は、第２実施例に係る表示装置１０ｘの概略構成を示すブロック図である。図５に示すように、第２実施例に係る表示装置１０ｘは、表示素子２の代わりに、異常表示用表示素子２ａ及び主表示素子２ｂを有する点で、第１実施例に係る表示装置１０と構成が異なる。その他の構成要素は、第１実施例と同様である。【００５０】
異常表示用表示素子２ａ及び主表示素子２ｂは共に、光源１から出射される光を透過又は反射することにより画像を生成する。また、異常表示用表示素子２ａは、画像のメモリー性を有するのに対して、主表示素子２ｂは、画像のメモリー性を有しない。異常表示用表示素子２ａは、異常時画面に相当する画像を生成するために用いられ、主表示素子２ｂは、通常画面に相当する画像を生成するために用いられる。例えば、異常表示用表示素子２ａ及び主表示素子２ｂは、表示装置１０ｘ上において異なる場所に設けられる。また、例えば、主表示素子２ｂは、異常表示用表示素子２ａよりも大きなサイズにて構成される。なお、異常表示用表示素子２ａは、本発明における「表示素子」の一例に相当する。【００５１】
次に、図６及び図７を参照して、第２実施例において制御部４が行う制御方法について説明する。【００５２】
図６は、第２実施例に係る表示装置終了処理を示すフローチャートである。なお、この表示装置終了処理も、制御部４によって実行される。【００５３】
まず、ステップＳ３１では、制御部４は、光源１をオフにする。つまり、制御部４は、光源１への通電を止めて、光源１からの光の出射を停止する。そして、処理はステップＳ３２に進む。【００５４】
ステップＳ３２では、制御部４は、異常時画面を表示させる状態に異常表示用表示素子２ａを制御する。先のステップＳ３１で光源１をオフにしているため、このような異常時画面がユーザに視認されることはない。そして、処理はステップＳ３３に進む。【００５５】
ステップＳ３３では、制御部４は、異常表示用表示素子２ａ及び主表示素子２ｂの両方をオフにする。つまり、制御部４は、異常表示用表示素子２ａ及び主表示素子２ｂへの通電を止める。この場合、異常表示用表示素子２ａは画像のメモリー性を有するため、非通電状態において異常表示用表示素子２ａは異常時画面を表示した状態を保持することとなる。他方で、主表示素子２ｂは画像のメモリー性を有しないため、非通電状態において主表示素子２ｂは通常画面を表示した状態を保持しない。この後、制御部４は表示装置１０ｘをオフにし（ステップＳ３４）、処理は終了する。【００５６】
図７は、第２実施例に係る表示装置起動処理を示すフローチャートである。なお、この表示装置起動処理も、制御部４によって実行される。【００５７】
まず、ステップＳ４１では、制御部４は、サーミスタ３によって検出された、表示装置１０ｘの内部又は周囲の温度を取得する。そして、処理はステップＳ４２に進む。【００５８】
ステップＳ４２では、制御部４は、ステップＳ４１で取得した温度に基づいて、主表示素子２ｂの動作条件を満たすか否かを判定する（言い換えると、主表示素子２ｂへの通電が許されないような状況でないか否かを判定する）。ここでは、制御部４は、当該温度が所定温度範囲内にあるか否かに応じて、主表示素子２ｂの動作条件を満たすか否かを判定する。例えば、所定温度範囲としては、主表示素子２ｂの動作保証温度範囲に応じた温度範囲が用いられる。【００５９】
ステップＳ４１で取得した温度が所定温度範囲内にない場合、制御部４は、主表示素子２ｂの動作条件を満たさないと判定する（ステップＳ４２：Ｎｏ）。この場合、処理はステップＳ４３に進む。ステップＳ４３では、制御部４は、光源１をオンにする。つまり、制御部４は、光源１への通電を開始し、光源１から光を出射させる。他方で、制御部４は、異常表示用表示素子２ａ及び主表示素子２ｂには通電しない。これは、主表示素子２ｂへの通電が許されないような状況であるからである。このように異常表示用表示素子２ａ及び主表示素子２ｂに通電せずに光源１から光を出射させると、上記の表示装置終了処理によって異常表示用表示素子２ａに保持された異常時画面が表示されることとなる（例えば図２参照）。なお、主表示素子２ｂは画面を保持していないため、主表示素子２ｂにて画面は表示されない。以上のステップＳ４３の後、処理は終了する。【００６０】
これに対して、ステップＳ４１で取得した温度が所定温度範囲内にある場合、制御部４は、主表示素子２ｂの動作条件を満たすと判定する（ステップＳ４２：Ｙｅｓ）。この場合、処理はステップＳ４４に進む。ステップＳ４４では、制御部４は、異常表示用表示素子２ａをオンにする、つまり異常表示用表示素子２ａへの通電を開始する。この場合、光源１はオフであるため、異常表示用表示素子２ａに保持された異常時画面がユーザに視認されることはない。そして、処理はステップＳ４５に進む。【００６１】
ステップＳ４５では、制御部４は、異常表示用表示素子２ａに保持された異常時画面をクリアするための制御を行い、異常表示用表示素子２ａを透過状態とする。これにより、光源１をオンにしても、異常時画面がユーザに視認されることはない。そして、処理はステップＳ４６に進む。【００６２】
ステップＳ４６では、制御部４は、主表示素子２ｂをオンにする、つまり主表示素子２ｂへの通電を開始する。そして、処理はステップＳ４７に進む。ステップＳ４７では、制御部４は、光源１をオンにする、つまり光源１への通電を開始する。これにより、主表示素子２ｂによって通常画面が表示されることとなる。他方で、異常表示用表示素子２ａは透過状態となっているため、異常表示用表示素子２ａにて画面は表示されない。そして、処理は終了する。この後、表示装置１０ｘの通常動作が開始される。【００６３】
以上説明した第２実施例によっても、第１実施例と同様の効果が得られる。具体的には、第２実施例によれば、主表示素子２ｂへの通電が許されないような状況でも、異常を示すメッセージを適切に表示することができる。【００６４】
［第３実施例］
次に、図８及び図９を参照して、第３実施例について説明する。【００６５】
上記した第１実施例では、サーミスタ３によって検出された、表示装置１０の内部又は周囲の温度に基づき、表示装置１０の異常状態を検知していた。これに対して、第３実施例では、表示装置の内部又は周囲の温度だけでなく、表示装置を駆動する電池の残量（電池残量）にも基づき、表示装置の異常状態を検知する。具体的には、第３実施例では、表示装置の内部又は周囲の温度が所定温度範囲内にない場合、又は電池残量が所定値以下である場合に、表示装置が異常状態であると検知する。電池残量が所定値以下である場合に表示装置が異常状態であると検知するのは、当該場合には表示装置の動作が不安定になる可能性があるからである。【００６６】
なお、以下では、第１実施例と異なる構成、制御及び処理について主に説明を行い、第１実施例と同様の構成、制御及び処理については適宜説明を省略する。つまり、以下で特に説明しない構成、制御及び処理については、第１実施例と同様であるものとする。【００６７】
図８は、第３実施例に係る表示装置１０ｙの概略構成を示すブロック図である。図８に示すように、第３実施例に係る表示装置１０ｙは、電池残量センサ６を更に備える点で、第１実施例に係る表示装置１０と構成が異なる。その他の構成要素は、第１実施例と同様である。【００６８】
電池残量センサ６は、表示装置１０ｙを駆動する電池の残量（電池残量）を検出するセンサである。電池残量センサ６は、検出した電池残量を制御部４に供給する。【００６９】
第３実施例では、制御部４は、表示装置１０ｙの表示を開始させる際に、まず、サーミスタ３によって検出された温度（つまり表示装置１０ｙの内部又は周囲の温度）と、電池残量センサ６によって検出された電池残量とに基づいて、表示装置１０ｙの異常状態を検知する。具体的には、制御部４は、当該温度が所定温度範囲内にない場合、又は当該電池残量が所定値以下である場合に、表示装置１０ｙが異常状態であると検知する。この場合、制御部４は、表示素子２が通電すべきでない状態にあると判断する（つまり、表示素子２への通電が許されないような状況であると判断する）。そして、制御部４は、このようにして表示装置１０ｙの表示の開始時に異常状態を検知した場合、表示素子２に通電せずに、光源１から光を出射させる。これにより、第１実施例と同様に、表示装置１０ｙの表示の終了時に行った制御により表示素子２に保持された異常時画面が表示されることとなる。【００７０】
図９に、第３実施例において表示装置１０ｙによって表示される異常時画面の一例を示す。この例では、「表示できません。周囲温度を確認してください。または、電池残量を確認してください。」といった異常を示すメッセージが表示される。【００７１】
以上説明した第３実施例によれば、電池残量に基づいて、表示素子２への通電が許されないような、表示装置１０ｙの異常状態を適切に検知することができる。そして、第３実施例によれば、電池残量に起因する、表示素子２への通電が許されないような状況でも、異常を示すメッセージを適切に表示することができる。【００７２】
なお、第３実施例を上記した第２実施例に適用しても良い。つまり、サーミスタ３によって検出された温度及び電池残量センサ６によって検出された電池残量の両方に基づいて、異常表示用表示素子２ａ及び主表示素子２ｂを有する表示装置１０ｘ（図５参照）の異常状態を検知しても良い。【００７３】
また、上記では、サーミスタ３によって検出された温度及び電池残量センサ６によって検出された電池残量の両方に基づいて、表示装置１０ｙの異常状態を検知する例を示したが、サーミスタ３によって検出された温度を用いずに（つまり表示装置１０ｙの内部又は周囲の温度を用いずに）、電池残量センサ６によって検出された電池残量のみに基づいて、表示装置１０ｙの異常状態を検知しても良い。
【符号の説明】
【００７４】
１  光源
２  表示素子
２ａ  異常表示用表示素子
２ｂ  主表示素子
３  サーミスタ
４  制御部
６  電池残量センサ
１０、１０ｘ、１０ｙ  表示装置
【図１】
2014118883.tif 000003
【図２】
2014118883.tif 000004
【図３】
2014118883.tif 000005
【図４】
2014118883.tif 000006
【図５】
2014118883.tif 000007
【図６】
2014118883.tif 000008
【図７】
2014118883.tif 000009
【図８】
2014118883.tif 000010
【図９】
2014118883.tif 000011
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
画像を表示する表示装置であって、
光を出射する光源と、
前記光源から出射される光を透過又は反射することにより画像を生成し、前記画像のメモリー性を有する表示素子と、
前記表示装置の表示を終了させる際に、所定画像を表示させる状態に制御してから前記表示素子への通電を止めるように制御する制御手段と、
を備えることを特徴とする表示装置。
【請求項２】
前記制御手段は、前記表示装置の表示を終了させる際に、前記光源からの光の出射を停止した後に、前記所定画像を表示させる状態に前記表示素子を制御してから前記表示素子への通電を止めることを特徴とする請求項１に記載の表示装置。
【請求項３】
前記表示装置の異常状態を検知する検知手段を備え、
前記制御手段は、前記表示装置の表示を開始させる際に、前記検知手段が前記異常状態を検知した場合は、前記表示素子に通電せずに、前記光源から光を出射させ、前記検知手段が前記異常状態を検知しなかった場合には、前記表示素子に通電して前記所定画像を表示させる状態をクリアする制御を行った後に、前記光源から光を出射させることを特徴とする請求項１又は２に記載の表示装置。
【請求項４】
前記検知手段は、前記表示装置の内部又は周囲の温度が所定温度範囲内にない場合に、前記表示装置が前記異常状態であると検知することを特徴とする請求項３に記載の表示装置。
【請求項５】
前記検知手段は、前記表示装置を駆動する電池の残量が所定値以下である場合に、前記表示装置が前記異常状態であると検知することを特徴とする請求項３又は４に記載の表示装置。
【請求項６】
前記表示素子とは別に、前記表示装置が前記異常状態でない場合に表示するための画像を生成する主表示素子を更に備えることを特徴とする請求項１乃至５のいずれか一項に記載の表示装置。
【請求項７】
光を出射する光源と、前記光源から出射される光を透過又は反射することにより画像を生成すると共に、前記画像のメモリー性を有する表示素子と、を備える表示装置によって実行される表示方法であって、
前記表示装置の表示を終了させる際に、所定画像を表示させる状態に制御してから前記表示素子への通電を止めるように制御する制御工程を備えることを特徴とする表示方法。
【請求項８】
光を出射する光源と、前記光源から出射される光を透過又は反射することにより画像を生成すると共に、前記画像のメモリー性を有する表示素子と、コンピュータと、を備える表示装置によって実行されるプログラムであって、
前記表示装置の表示を終了させる際に、所定画像を表示させる状態に制御してから前記表示素子への通電を止めるように制御する制御手段、
として前記コンピュータを機能させることを特徴とするプログラム。
【請求項９】
請求項８に記載のプログラムを記録したことを特徴とする記録媒体。
【手続補正２】
【補正対象書類名】明細書
【補正対象項目名】０００７
【補正方法】変更
【補正の内容】
【０００７】
請求項に記載の発明では、画像を表示する表示装置は、光を出射する光源と、前記光源から出射される光を透過又は反射することにより画像を生成し、前記画像のメモリー性を有する表示素子と、前記表示装置の表示を終了させる際に、所定画像を表示させる状態に制御してから前記表示素子への通電を止めるように制御する制御手段と、を備えることを特徴とする。
【手続補正３】
【補正対象書類名】明細書
【補正対象項目名】０００８
【補正方法】変更
【補正の内容】
【０００８】
また、請求項に記載の発明では、光を出射する光源と、前記光源から出射される光を透過又は反射することにより画像を生成すると共に、前記画像のメモリー性を有する表示素子と、を備える表示装置によって実行される表示方法は、前記表示装置の表示を終了させる際に、所定画像を表示させる状態に制御してから前記表示素子への通電を止めるように制御する制御工程を備えることを特徴とする。
【手続補正４】
【補正対象書類名】明細書
【補正対象項目名】０００９
【補正方法】変更
【補正の内容】
【０００９】
また、請求項に記載の発明では、光を出射する光源と、前記光源から出射される光を透過又は反射することにより画像を生成すると共に、前記画像のメモリー性を有する表示素子と、コンピュータと、を備える表示装置によって実行されるプログラムは、前記表示装置の表示を終了させる際に、所定画像を表示させる状態に制御してから前記表示素子への通電を止めるように制御する制御手段、として前記コンピュータを機能させることを特徴とする。
【国際調査報告】
2014118883.tif 000012
2014118883.tif 000013
2014118883.tif 000014
2014118883.tif 000015